(57)【要約】【課題】ステーの取付け、および取外し作業の容易化を適切かつ合理的に図ることが可能な温水ユニットを提供する。【解決手段】温水関連機器２を内部に収容する外装ケース１の一対の壁部１１ａに橋渡し状に取付けられるステー４を備えている、温水ユニットＵであって、一対の壁部１１ａに設けられ、かつステー４の両端部の差し込み保持が可能な一対のステー用差し込み保持部５を備えており、温水関連機器２を制御するための制御ユニット３は、ステー４が一対のステー用差し込み保持部５からの抜け外れ方向に変位することを阻止するように、ステー４との連結または係合が図られるステー用連結部３３またはステー用係合部３２の少なくとも一方を備えている。【選択図】  図４
2019148347.tif 000002
【特許請求の範囲】
【請求項１】
温水生成機能または温水貯留機能を有する温水関連機器を内部に収容する外装ケースと、
この外装ケースの複数の壁部のうち、間隔を隔てて互いに対向する一対の壁部に橋渡し状に取付けられるステーと、
前記外装ケース内に収容され、かつ前記温水関連機器の制御を行なうための制御ユニットと、
を備えている、温水ユニットであって、
前記一対の壁部に設けられ、かつ前記ステーの両端部の差し込み保持が可能な一対のステー用差し込み保持部を、さらに備えており、
前記制御ユニットは、前記ステーが前記一対のステー用差し込み保持部からの抜け外れ方向に変位することを阻止するように、前記ステーとの連結または係合が図られるステー用連結部またはステー用係合部の少なくとも一方を備えていることを特徴とする、温水ユニット。
【請求項２】
請求項１に記載の温水ユニットであって、
前記外装ケースは、その前面が開口部とされており、
前記一対の壁部は、前記外装ケースの左右一対の側壁部であり、
前記ステーは、前記温水関連機器よりも前記開口部寄りの位置において、前記開口部またはその近傍部分を横切るように取付けられており、
前記制御ユニットは、前記ステーの手前側に配されている、温水ユニット。
【請求項３】
請求項１または２に記載の温水ユニットであって、
前記一対のステー用差し込み保持部は、これらの上方から前記ステーの両端部を下向きに差し込み可能であり、前記抜け外れ方向は、上向きとされている、温水ユニット。
【請求項４】
請求項１ないし３のいずれかに記載の温水ユニットであって、
前記ステーの両端部には、前記ステーの長手方向と交差する方向に突出する一対の突出部が設けられており、
前記一対のステー用差し込み保持部は、前記一対の壁部の内側に一対のブラケット部材を取付けることにより構成され、
前記一対のブラケット部材のそれぞれは、前記一対の壁部に当接するベース部と、このベース部よりも前記外装ケースの内側寄りに突出した凸状段部と、この凸状段部と前記ベース部との相互間に形成された上部開口状の隙間と、を備えており、
前記隙間にその上方から前記ステーの前記各突出部が差し込まれた状態においては、前記凸状段部上に前記ステーを載せた状態に設定可能とされている、温水ユニット。
【請求項５】
請求項１ないし４のいずれかに記載の温水ユニットであって、
前記外装ケースに設けられ、かつ締結部材を用いて前記制御ユニットの下部が締結されるブラケット部を、さらに備えている、温水ユニット。
【請求項６】
請求項１ないし５のいずれかに記載の温水ユニットであって、
前記ステーは、このステーから前記外装ケースの前記開口部の手前側に向けて突出する被係合用突部を備えており、
前記ステー用係合部として、前記制御ユニットの上部または上下高さ方向途中部分に設けられ、かつ前記被係合用突部に係合するフック状のステー用係合部を備えている、温水ユニット。
【請求項７】
請求項１ないし６のいずれかに記載の温水ユニットであって、
前記ステー用連結部として、前記制御ユニットの上部または上下高さ方向途中部分に設けられ、かつ前記締結部材とは別の締結部材を用いて前記ステーに締結されるステー用連結部を備えている、温水ユニット。
【請求項８】
請求項１ないし７のいずれかに記載の温水ユニットであって、
前記制御ユニットの下部には、少なくとも1つの下向き突出部が設けられ、
前記外装ケースの底壁部には、前記下向き突出部を差し込み可能な位置決め用の孔部が設けられている、温水ユニット。
【発明の詳細な説明】
【技術分野】
【０００１】
本発明は、温水関連機器が外装ケース内に収容されてユニット化された給湯器ユニットなどの温水ユニットに関する。
【背景技術】
【０００２】
温水ユニットは、温水関連機器が外装ケース内に収容され、温水関連機器の保護、およびユニット全体の見栄えの向上を図るように構成されているのが一般的である。なお、外装ケース内には、温水関連機器の制御を行なうための制御ユニットも収容される。外装ケースは、薄手の金属板などを用いて構成されるのが通例であるが、外装ケースの大型化を図るような場合には、外装ケースに撓みが生じ易くなり、これを防止する必要がある。そこで、外装ケースの複数の壁部のうち、互いに対向する一対の壁部に、補強部材としてのステーを橋渡し状に取付ける手段が適宜採用される（たとえば、特許文献１を参照）。
このような構成によれば、外装ケースの各壁部の厚みを増大させることを回避しつつ、外装ケースを効果的に補強することができ、外装ケースに不当な撓みが生じることを防止することが可能である。
【０００３】
しかしながら、従来においては、次に述べるように、改善すべき余地があった。
【０００４】
すなわち、外装ケースの一対の壁部にステーを橋渡し状に取付ける場合、このステーを、外装ケース内において固定させたままでよい場合には、ステーをたとえば溶接手段を用いて容易に取付けることが可能である。ただし、これとは異なり、たとえば外装ケースの開口部またはその近傍部分を横切るようにステーを取付け、かつこのステーの奥部に温水関連機器を配置させるような場合には、温水関連機器のメンテナンス作業を考慮すると、ステーを取外し可能に設けることが要請される。
この場合、従来においては、外装ケースの壁部にブラケット部材を取付けた上で、このブラケット部材にステーの両端部をビス止めする手段が採用される。ところが、このようなビス止め手段を採用したのでは、ステーの取付け、および取外し作業が煩雑となり、温水関連機器のメンテナンス作業性が悪化する。また、前記ブラケット部材を、ビス止め用とする場合、このブラケット部材の厚みが大きくなって、外装ケース内において嵩張ってしまい、温水関連機器を外装ケースに出し入れする際に、ブラケット部材が邪魔になるといった不具合も生じ易くなる。
【先行技術文献】
【特許文献】
【０００５】
【特許文献１】実公昭６２−３０６７７号公報
【発明の概要】
【発明が解決しようとする課題】
【０００６】
本発明は、前記したような事情のもとで考え出されたものであり、ステーの取付け、および取外し作業の容易化を適切かつ合理的に図ることが可能な温水ユニットを提供することを、その課題としている。
【課題を解決するための手段】
【０００７】
前記の課題を解決するため、本発明では、次の技術的手段を講じている。
【０００８】
本発明により提供される温水ユニットは、温水生成機能または温水貯留機能を有する温水関連機器を内部に収容する外装ケースと、この外装ケースの複数の壁部のうち、間隔を
隔てて互いに対向する一対の壁部に橋渡し状に取付けられるステーと、前記外装ケース内に収容され、かつ前記温水関連機器の制御を行なうための制御ユニットと、を備えている、温水ユニットであって、前記一対の壁部に設けられ、かつ前記ステーの両端部の差し込み保持が可能な一対のステー用差し込み保持部を、さらに備えており、前記制御ユニットは、前記ステーが前記一対のステー用差し込み保持部からの抜け外れ方向に変位することを阻止するように、前記ステーとの連結または係合が図られるステー用連結部またはステー用係合部の少なくとも一方を備えていることを特徴としている。
【０００９】
このような構成によれば、ステーを利用して外装ケースの所定の一対の壁部を補強し、これら一対の壁部の撓み変形を適切に防止または抑制し得ることは勿論のこと、次のような効果がさらに得られる。
第１に、ステーの取付けは、外装ケースの一対の壁部に設けられている一対のステー用差し込み保持部にステーの両端部を差し込んだ上で、制御ユニットをステーに連結または係合させることにより図ることができる。制御ユニットは、ステーが一対のステー用差し込み保持部から抜け外れることを防止するため、ステーを一対の壁部に安定的に取付けることが可能である。このようなことから、本発明によれば、ステーの取付け手段として、ステーの両端部を外装ケースの壁部、または壁部に取付けられたブラケット部材にビス止めする必要がなくなり、ステーの取付け作業、および取外し作業の容易化を図ることができる。その結果、ステーを取り外してから温水関連機器を外装ケースに出し入れする作業も容易化され、温水ユニットのメンテナンス作業性を良好なものとすることができる。
第２に、制御ユニットは、温水ユニットに元々具備されるものであり、この制御ユニットを利用してステーの抜け止めを図るため、その構成は合理的であり、部品総数の増大などを回避することが可能である。
第３に、ステー用差し込み保持部は、ステーの両端部をビス止めするための部分よりも薄型化することも可能である。したがって、ステー用差し込み保持部が外装ケースの内側に大きく嵩張らないようにし、このステー用差し込み保持部が温水関連機器の出し入れ作業の邪魔になるといった不具合も生じ難いものとすることが可能である。
第４に、制御ユニットをステーに連結または係合させることにより、ステーの固定を図ると同時に、制御ユニットの取付けを図ることが可能である。したがって、温水ユニットのメンテナンス作業性などをより優れたものとすることができる。
【００１０】
本発明において、好ましくは、前記外装ケースは、その前面が開口部とされており、前記一対の壁部は、前記外装ケースの左右一対の側壁部であり、前記ステーは、前記温水関連機器よりも前記開口部寄りの位置において、前記開口部またはその近傍部分を横切るように取付けられており、前記制御ユニットは、前記ステーの手前側に配されている。
【００１１】
このような構成によれば、ステーを利用して、外装ケースの左右一対の側壁部を適切に補強することができる。外装ケースを縦長状の大きなサイズに形成し、一対の側壁部の上下寸法が大きくなるような場合には、とくに適したものとなる。また、外装ケースの前面の開口部側からステーおよび制御ユニットの取付け、および取外し作業を適切に図ることができる。
【００１２】
本発明において、好ましくは、前記一対のステー用差し込み保持部は、これらの上方から前記ステーの両端部を下向きに差し込み可能であり、前記抜け外れ方向は、上向きとされている。
【００１３】
このような構成によれば、ステーに制御ユニットが未だ連結され、または係合されておらず、ステーの抜け止めが図られていない際に、一対のステー用差し込み保持部からステーが不用意に落下し難くすることが可能である。本発明では、たとえば一対のステー用差し込み保持部に対してステーを水平方向に差し込み保持させることも可能であるが、この
場合には、ステーの抜け止めが図られていない場合に、作業者がステーに触れるなどしてステーが水平方向に位置ずれし、落下する虞がある。これに対し、前記構成によれば、ステーを上方に変位させない限りは落下しないため、前記した虞を生じないようにすることが可能である。
【００１４】
本発明において、好ましくは、前記ステーの両端部には、前記ステーの長手方向と交差する方向に突出する一対の突出部が設けられており、前記一対のステー用差し込み保持部は、前記一対の壁部の内側に一対のブラケット部材を取付けることにより構成され、前記一対のブラケット部材のそれぞれは、前記一対の壁部に当接するベース部と、このベース部よりも前記外装ケースの内側寄りに突出した凸状段部と、この凸状段部と前記ベース部との相互間に形成された上部開口状の隙間と、を備えており、前記隙間にその上方から前記ステーの前記各突出部が差し込まれた状態においては、前記凸状段部上に前記ステーを載せた状態に設定可能とされている。
【００１５】
このような構成によれば、ステーが上方から差し込まれることによって、このステーを保持可能なステー用差し込み保持部を、構成が簡易なブラケット部材を利用して適切に構築することが可能であり、製造コストを廉価にすることができる。また、各ステー用差し込み保持部を薄型とし、外装ケースの内側において大きく嵩張らないようにする上で、一層好ましいものとなる。
【００１６】
本発明において、好ましくは、前記外装ケースに設けられ、かつ締結部材を用いて前記制御ユニットの下部が締結されるブラケット部を、さらに備えている。
【００１７】
このような構成によれば、制御ユニットの下部については、締結部材を用いて外装ケースのブラケット部に適切に締結することができる。また、前記ブラケット部は、外装ケースの下部寄り領域に設ければよいこととなるため、このブラケット部が温水関連機器の出し入れ作業の邪魔になることを極力回避することも可能である。
【００１８】
本発明において、好ましくは、前記ステーは、このステーから前記外装ケースの前記開口部の手前側に向けて突出する被係合用突部を備えており、前記ステー用係合部として、前記制御ユニットの上部または上下高さ方向途中部分に設けられ、かつ前記被係合用突部に係合するフック状のステー用係合部を備えている。
【００１９】
このような構成によれば、制御ユニットの上部または上下高さ方向途中部分については、フック状のステー用係合部をステーの被係合用突部に係合させることにより、制御ユニットの取付けを的確に図ることができる。ステーと制御ユニットとを係合させる手段によれば、これらをビス止めする手段と比較すると、これらの取付け、および取外し作業の容易化を図ることが可能である。
【００２０】
本発明において、好ましくは、前記ステー用連結部として、前記制御ユニットの上部または上下高さ方向途中部分に設けられ、かつ前記締結部材とは別の締結部材を用いて前記ステーに締結されるステー用連結部を備えている。
【００２１】
このような構成によれば、制御ユニットの上部または上下高さ方向途中部分を、締結部材を用いてステーに締結することができるため、制御ユニットの上部または上下高さ方向途中部分を、前記したフック状のステー用係合部と被係合用突部との係合のみを利用してステーに連結させた構成と比較すると、制御ユニットおよびステーの取付けの安定性、信頼性を高めることが可能である。
【００２２】
本発明において、好ましくは、前記制御ユニットの下部には、少なくとも1つの下向き
突出部が設けられ、前記外装ケースの底壁部には、前記下向き突出部を差し込み可能な位置決め用の孔部が設けられている。
【００２３】
このような構成によれば、制御ユニットを取付ける際には、下向き突出部を位置決め用の孔部に差し込むことにより、制御ユニットの下部を所定の位置に正確に位置決めすることが可能となる。したがって、制御ユニットの取付け作業の一層の容易化、ならびに適正化を図ることができる。
【００２４】
本発明のその他の特徴および利点は、添付図面を参照して以下に行なう発明の実施の形態の説明から、より明らかになるであろう。
【図面の簡単な説明】
【００２５】
【図１】本発明に係る温水ユニットの一例を示す断面図である。
【図２】図１の概略斜視図である。
【図３】図１の要部分解斜視図である。
【図４】図１に示す温水ユニットの要部正面図である。
【図５】図４に示す構造の要部分解正面図である。
【図６】（ａ）は、図４のVIa−VIa断面図であり、（ｂ）は、図４の VIb−VIb断面図である。
【図７】図４のVII−VII断面図である。
【図８】（ａ）は、図４の要部正面断面図であり、（ｂ）は、（ａ）に示す箇所の要部概略斜視図である。
【図９】（ａ）は、図８（ａ）の要部分解正面断面図であり、（ｂ）は、（ａ）に示す箇所の要部概略斜視図である。
【図１０】図１に示す温水ユニットにおいて、制御ユニットを仮支持の状態に設定した場合の一例を示す要部概略斜視図である。
【図１１】図１０のXI−XI断面図である。
【図１２】本発明の他の例を示す要部概略斜視図である。
【発明を実施するための形態】
【００２６】
以下、本発明の好ましい実施の形態について、図面を参照して具体的に説明する。
【００２７】
図１および図２に示す温水ユニットＵは、外装ケース１、カバーパネル１８（前面カバーパネル）、外装ケース１内に収容された温水関連機器２、制御ユニット３、ステー４、および一対のステー用差し込み保持部５を構成するブラケット部材５０を備えている。
【００２８】
外装ケース１は、前面に開口部１０が形成された内部空洞状の略直方体であり、たとえば薄手の金属板を用いて形成されており、複数の壁部１１（１１ａ〜１１ｄ）を備えている。これら複数の壁部１１は、具体的には、左右の一対の側壁部１１ａ、底壁部１１ｂ、上壁部１１ｃ、および後壁部１１ｄである。外装ケース１は、通常時においては、その前面部にカバーパネル１８がビス９０などの締結部材を用いて取付けられ、開口部１０は塞がれている。
【００２９】
温水関連機器２は、図面においては、その詳細を省略し、または不図示とされているが、たとえば瞬間式給湯器、あるいは貯湯タンクなどである。ただし、後述するように、これに限定されない。この温水関連機器２は、外装ケース１内の奥部寄りの位置に収容されている。
【００３０】
制御ユニット３は、樹脂製の偏平ケース状のホルダ３０の表面側に、温水関連機器２の動作制御などを実行するための制御回路や電源回路などを搭載した電装基板３１が取付け
られた構成である。電装基板３１についても、温水関連機器２と同様に、図面において、その詳細を省略し、または不図示とされている。制御ユニット３は、温水関連機器２およびステー４よりも手前側（開口部１０寄り）に配されている。
【００３１】
ステー４は、本来的には、外装ケース１の左右一対の側壁部１１ａを補強し、これらが撓み変形することを防止するための部材である。本実施形態において、外装ケース１は、左右の横幅が比較的狭い一方、全体の上下高さ寸法が大きくされており、一対の側壁部１１ａが撓み変形を生じ易い。ステー４は、これを解消するのに役立つが、後述するように、制御ユニット３の取付けにも利用される。なお、一対の側壁部１１ａは、本発明でいう一対の壁部の一例に相当する。
【００３２】
図９によく表われているように、ステー４は、一定方向に延びる帯板状のステー本体部４０、このステー本体部４０の長手方向両端部に繋がり、かつ前記長手方向と交差する方向に突出する片状の一対の突出部４１、ステー本体部４０からその手前側に突出する被係合用突部４２、およびビス止め用の孔部４３を備えている。好ましくは、ステー４は、金属板にプレス加工を施すことによって各部が一体形成されたものとされている。ステー４の前記した各部の詳細については後述する。
【００３３】
各ステー用差し込み保持部５は、ステー４の各突出部４１の差し込み保持が可能とされた部位であり、ブラケット部材５０を側壁部１１ａの内面に溶接付けすることにより構成されている。ブラケット部材５０は、ステー４と同様に、金属板にプレス加工を施すことにより形成されており、ベース部５１、凸状段部５２、およびステー４の差し込み用の隙間５３を備えている。ベース部５１は、側壁部１１ａの内面に当接するようにして側壁部１１ａへの前記溶接付けが図られる部位である。凸状段部５２は、ベース部５１よりも外装ケース１の内側寄りに突出するように形成された段押し加工部である。隙間５３は、ベース部５１と凸状段部５２との相互間に形成されており、本実施形態では、上部および下部の双方が開口した形態とされているが、少なくとも上部が開口した構成とされる。このことにより、隙間５３には、その上方からステー４の突出部４１を差し込み可能である。
【００３４】
図８に示すように、前記した隙間５３にその上方からステー４の突出部４１を差し込んだ状態においては、凸状段部５２上に、ステー本体部４０の両端部を載せて支持させることが可能となっている。この状態において、ステー４が外装ケース１の前後方向および左右横幅方向に変位することは規制されている。このような設定がなされることにより、左右一対の側壁部１１ａの上下高さ方向途中部分であって、開口部１０の近傍には、ステー４が略水平な姿勢の橋渡し状に取付けられる。ただし、隙間５３に突出部４１を差し込んだだけの状態では、ステー４を上方に抜き取ることが可能であり、ステー４が抜け外れることは阻止されていない。
【００３５】
図３〜図５によく表われているように、制御ユニット３のホルダ３０には、外装ケース１内における制御ユニット３の取付け、ならびにステー４との係合および連結を図るための手段として、ステー用係合部３２、ステー用連結部３３、および下向き突出部３４が設けられている。
【００３６】
ステー用係合部３２は、先端が下向きの側面視略Ｌ字状のフックとして構成され、かつホルダ３０の上部または上下高さ方向途中部分の横幅方向片側に設けられており、ステー４の被係合用突部４２に係合させることが可能である。被係合用突部４２は、図８および図９によく表われているように、ステー本体部４０の一部に切り起こし加工（符号４０ａは、切り起こしに伴って形成される孔部）を施すことにより形成されており、ステー４の手前側に向けて突出している。この被係合用突部４２は、水平方向に屈曲した先端屈曲部４２ａが形成されている。図４に示すように、制御ユニット３は、ステー用係合部３２が
被係合用突部４２に対してその上側から係合するように設定される。この係合状態においては、図７によく表われているように、被係合用突部４２は、左右横幅方向において、ステー用係合部３２とホルダ３０の本体部分との相互間に位置し、ステー用係合部３２は、前後方向において、被係合用突部４２の先端屈曲部４２ａとステー本体部４０との相互間に位置する。このため、ステー４に相対して、制御ユニット３が外装ケース１の左右横幅方向および前後方向に変位することが規制される。
なお、図示された構成では、ステー用係合部３２の幅Ｗａは、ホルダ３０の幅Ｗｂよりも小さくされており、小サイズ化が図られている。これは、図１０および図１１を参照して後述する制御ユニット３の仮保持状態の設定時において、ステー用係合部３２をステー４に係合させ易くするのに役立つ。
【００３７】
図３〜図５において、ステー用連結部３３は、ホルダ３０の上部または上下高さ方向途中部分のうち、前記したステー用係合部３２とは横幅方向反対側の位置に設けられており、かつビス止め用の孔部３３ａを備えた突出片状のブラケット部として構成されている。このステー用連結部３３は、ステー４のビス止め用の孔部４３の手前側に配され、かつステー４にビス９１（本発明でいう別の締結部材の一例）を介して締結されている。
【００３８】
制御ユニット３のホルダ３０の下部には、ビス止め用の孔部３５が設けられている。一方、外装ケース１の底壁部１１ｂ上には、制御ユニット３を固定するためのブラケット部１９が起立して設けられている。制御ユニット３の下部は、ビス止め用の孔部３５を挿通するビス９２（本発明でいう締結部材の一例）を利用してブラケット部１９に固定されている（図６（ａ）も参照）。
【００３９】
制御ユニット３の下向き突出部３４は、ホルダ３０の下面部から下向きに突出したボス部として形成されている。この下向き突出部３４は、少なくとも１つ設けられるが、本実施形態では、横幅方向に間隔を隔てて２つ設けられている。外装ケース１の底壁部１１ｂには、下向き突出部３４に対応する２つの位置決め用の孔部１８が設けられており、外装ケース１内への制御ユニット３の取付けは、それら位置決め用の孔部１８に下向き突出部３４を差し込んだ状態で行なわれている（図６（ｂ）も参照）。このような構成によれば、下向き突出部３４と位置決め用の孔部１８との嵌合作用により、外装ケース１内における制御ユニット３の位置決めを図ることができ、制御ユニット３を所定位置に正確に、かつ迅速に配置させて取付ける作業の容易化を図ることができる。
【００４０】
次に、前記した温水ユニットＵの作用について説明する。
【００４１】
まず、ステー４は、その突出部４１がステー用差し込み保持部５の隙間５３にその上方から差し込まれて保持されているが、そのような差し込みを行なっただけでは、ステー４がステー用差し込み保持部５の上方（本発明でいう抜け外れ方向の一例に相当）に変位することは規制されていない状態にある。これに対し、制御ユニット３は、ステー用連結部３３およびステー用係合部３２を介してステー４に連結され、また係合しているため、ステー４が上方に変位することは適切に規制される。したがって、ステー４を適切に、かつ安定的に固定した状態でステー用差し込み保持部５に取付けることができる。その結果、ステー用差し込み保持部５が設けられている外装ケース１の一対の側壁部１１ａを、ステー４を利用して効果的に補強することができる。
【００４２】
本実施形態においては、制御ユニット３の取付けに際しては、ビス止め手段が採用されているものの、外装ケース１の側壁部１１ａにステー４を取付けるための手段としては、ビス止め手段は採用されていない。このため、ステー４の取付け作業性をよくすることができる。また、温水関連機器２を外装ケース１の外部に取り出すなどのメンテナンス作業を行なう場合において、ステー４を取外す際には、制御ユニット３を取り外した後に、ス
テー４をステー用差し込み保持部５の上方に容易に抜き外すことが可能である。したがって、ステー４の取外し作業も容易である。ステー用差し込み保持部５を構成するブラケット部材５０は、薄型に形成されており、外装ケース１の側壁部１１ａの内側に大きく突出しないようにされている。このため、ステー４を取り外した状態において、温水関連機器２を外装ケース１内に出し入れする際に、ステー用差し込み保持部５がその作業の邪魔になるようなことも適切に回避することが可能である。
【００４３】
制御ユニット３は、既述したように、ステー用連結部３３およびステー用係合部３２を介してステー４に連結、係合していることにより、ステー４の上方への変位を規制しているが、そのようにステー４との連結、係合が図られていることにより、制御ユニット３自体の取付け状態の安定化が図られる効果も得られる。本実施形態では、外装ケース１に対するビス止め箇所は、制御ユニット３の下部がブラケット部１９にビス止めされた箇所のみであるが、制御ユニット３の上部がステー４に連結、係合していることによって、制御ユニット３の取付け状態を十分に安定化させることが可能である。下向き突出部３４と位置決め用の孔部１８とが嵌合していることにより、制御ユニット３をより安定的な取付け状態とすることも可能である。
【００４４】
なお、本実施形態においては、好ましくは、制御ユニット３を取外した状態では、図１０および図１１に示すように、制御ユニット３の向きを変更し、ステー用係合部３２をステー４に係合させることにより、制御ユニット３を外装ケース１の開口部１０の近傍において仮支持の状態に設定することが可能とされている。より好ましくは、制御ユニット３の前記した仮支持の状態においては、ステー４に対するステー用係合部３２の係合箇所を左右方向に位置ずれ可能とし、制御ユニット３をたとえば開口部１０の左端寄り領域から右端寄り領域のいずれの位置にも選択的に配置できるように構成される。このような構成によれば、開口部１０を大きな面積で開放することができる。したがって、外装ケース１の開口部１０から外装ケース１内の奥部に工具を差し入れるなどして、温水関連機器２のメンテナンス作業を容易に行なうことができる。
【００４５】
図１２は、本発明の他の実施形態を示している。同図において、前記実施形態と同一または類似の要素には、前記実施形態と同一の符号を付すこととし、重複説明は省略する。
【００４６】
図１２に示す実施形態においては、ステー用差し込み保持部５Ａが、外装ケース１の側壁部１１ａに溶接などの手段により接合されたブラケット部材５０を用いて構成されているが、このブラケット部材５０は、凸状段部５２が上下高さ方向に延びた形態に設けられている。このことにより、凸状段部５２と側壁部１１ａとの相互間には、ステー４の突出部４１が差し込まれる隙間５３が形成されている。この隙間５３に、突出部４１を差し込んだ際には、ステー４を凸状段部５２の上部によって支持することができる。
本実施形態においても、先の実施形態のステー用差し込み保持部５と同様な作用が得られる。
【００４７】
本発明は、上述した実施形態の内容に限定されない。本発明に係る温水ユニットの各部の具体的な構成は、本発明の意図する範囲内において種々に設計変更自在である。
【００４８】
上述の実施形態においては、ステー用連結部３３およびステー用係合部３２の双方が設けられているが、ステー４が上方に変位することを阻止する上では、いずれか一方のみが設けられていればよく、本発明においては、そのような構成とすることもできる。
また、上述の実施形態においては、ステー用差し込み保持部５に対してステー４の突出部４１をその上方から下向きに差し込んでいるが、ステー４の差し込み方向はこれに限定されない。たとえば、斜め上方から差し込んだり、あるいは外装ケース１の手前側から奥部側に向けて差し込むように構成することもできる。したがって、本発明でいうステーの
「抜け外れ方向」は、上方に限定されない。
【００４９】
ステーが取付けられる外装ケースの一対の壁部は、左右一対の側壁部に限定されず、間隔を隔てて対向する一対の壁部どうしであれば、これらをステーの取付け対象の壁部とすることが可能である。ステーの具体的な形状、サイズ、材質は、限定されない。外装ケースは、前面部が開口部とされた構成に代えて、たとえば側面部あるいは後面部が開口部とされた構成とすることもできる。
【００５０】
本発明でいう温水関連機器とは、温水生成機能または温水貯留機能を有する機器を意味するが、その具体的な種類や数は問わない。温水関連機器には、貯湯タンクや瞬間式の給湯器などの他に、たとえばヒートホンプやコージェネレーションシステム機器なども該当する。したがって、本発明に係る温水ユニットは、たとえば貯湯タンクユニット、給湯器ユニット、ヒートポンプユニット、コージェネレーションシステムなどとして構成することができる。本発明でいう制御ユニットは、温水関連機器を制御する機能を備えたユニットであり、やはりその具体的な構成は限定されない。
【符号の説明】
【００５１】
Ｕ  温水ユニット
１  外装ケース
１０  開口部
１１ａ  側壁部（外装ケースの壁部）
１８  位置決め用の孔部
１９  ブラケット部
２  温水関連機器
３  制御ユニット
３２  ステー用係合部
３３  ステー用連結部
３４  下向き突出部
３５  ビス止め用の孔部
４  ステー
４１  突出部
４２  被係合用突部
４３  ビス止め用の孔部
５  ステー用差し込み保持部
５０  ブラケット部材
５１  ベース部
５２  凸状段部
５３  隙間
９１，９２  ビス（締結部材）
【図１】
2019148347.tif 000003
【図２】
2019148347.tif 000004
【図３】
2019148347.tif 000005
【図４】
2019148347.tif 000006
【図５】
2019148347.tif 000007
【図６】
2019148347.tif 000008
【図７】
2019148347.tif 000009
【図８】
2019148347.tif 000010
【図９】
2019148347.tif 000011
【図１０】
2019148347.tif 000012
【図１１】
2019148347.tif 000013
【図１２】
2019148347.tif 000014